(57)【特許請求の範囲】
【請求項１】
皮膚に接触するように意図されたリストバンド又は計時器用部品のためのエラストマー材料であって、
当該エラストマー材料は、湿気を逃がす手段を有しており、
前記逃がす手段は、親水性マイクロファイバーを有し、
前記マイクロファイバーは、毛管作用によって当該エラストマー材料を通り抜けるように湿気を輸送するように、当該エラストマー材料内にチャネルを形成するものであり、さらに、前記親水性マイクロファイバーは、ｎ個のチャネルがある断面を有し、ここで、ｎ＞２であり、
前記親水性マイクロファイバーの断面は、溝があるオブロング状の形、又はらせん状の形を有する
ことを特徴とするエラストマー材料。
【請求項２】
前記親水性マイクロファイバーはポリアミド又はポリエステルのファミリーから選択された合成材料によって作られる
ことを特徴とする請求項１に記載のエラストマー材料。
【請求項３】
酸化亜鉛と窒化ホウ素から選択される熱伝導性フィラーを含有する
ことを特徴とする請求項１又は２に記載のエラストマー材料。
【請求項４】
有機亜鉛化合物、銀塩、又はアルミニウム塩のタイプの抗菌性添加剤を含有する
ことを特徴とする請求項１又は２又は３に記載のエラストマー材料。
【請求項５】
ポリウレタン、ポリエーテルブロックアミン、コポリエステルエラストマー、アクリルエラストマー又はスチレンエラストマーのような熱可塑性エラストマーから選ばれる材料である
ことを特徴とする請求項１〜４のいずれかに記載のエラストマー材料。
【請求項６】
フッ化エラストマー、アクリロニトリルブタジエンコポリマー、シリコーンのような熱加硫可能なエラストマーから選ばれる材料である
ことを特徴とする請求項１〜４のいずれかに記載のエラストマー材料。
【請求項７】
シリコーンのような冷加硫可能なエラストマーから選ばれる材料である
ことを特徴とする請求項１〜４のいずれかに記載のエラストマー材料。
【請求項８】
前記親水性マイクロファイバーは、１５０ｍＴｅｘ未満の繊度を有する
ことを特徴とする請求項１〜７のいずれかに記載のエラストマー材料。
【請求項９】
前記親水性マイクロファイバーは、綿又はリネンのようなセルロース系材料、又はそのビスコースのような合成誘導体で作られている
ことを特徴とする請求項１に記載のエラストマー材料。
【請求項１０】
請求項１〜９のいずれかに記載のエラストマー材料によって作られた少なくとも１つの部分を有するリストバンドを製造する方法であって、
当該エラストマー材料は、少なくとも、親水性マイクロファイバー、熱伝導性フィラー及び抗菌性添加剤を含有し、
当該方法は、
前記エラストマー材料から混合物を形成する第１のステップと、
前記第１のステップで得られた混合物に、少なくとも、親水性マイクロファイバー、熱伝導性フィラー及び抗菌性添加剤を加える第２のステップと、及び
成型プロセスによって前記第２のステップにて得られた混合物からリストバンドを形成するステップと
を有することを特徴とする方法。
【請求項１１】
前記エラストマー材料は、熱可塑性エラストマー及び加硫可能なエラストマーからなる群から選ばれる材料である
ことを特徴とする請求項１０に記載の方法。
【請求項１２】
請求項１０又は１１に記載のリストバンドを製造する方法によって得られたリストバンドを組み立てる方法であって、
皮膚に接触するように意図されたリストバンドの第１の層を形成するステップと、及び
前記第１の層の上に審美的な層を組み立てるステップと
を有することを特徴とする方法。
【請求項１３】
前記審美的な層は、皮革、織物、ポリマー又は他の装飾性要素である
ことを特徴とする請求項１２に記載の方法。
【発明の詳細な説明】
【技術分野】
【０００１】
本発明は、エラストマーベースの材料の技術分野に関する。本発明は、特に、計時器を製造するためのエラストマー材料、部品を製造する方法、及び得られる部品に関する。
【背景技術】
【０００２】
市場において数多くのエラストマー材料が存在しており、例えば、それらの快適さの質、ソフトな感触及び強さのために、リストバンドとしての用途が知られている。
【０００３】
したがって、日本国特許出願ＪＰ２０００２０４２６５によって、抗菌性を備え、老化に対して良好な耐性を示すような熱可塑性エラストマー材料を作ることが知られている。
【０００４】
しかし、リストバンドや皮膚に接触する計時器用部品に用いられるエラストマー材料は、抗菌特性によって単純に不愉快な臭いを中性化するが、汗を適切に排出することができない。また、リストバンドは、摩擦や摩耗の対象となることが多く、このことによって、特定の量の抗菌物質がなくなる傾向があり、これによって、抗菌物質の有効性が落ちてしまう。
【発明の概要】
【発明が解決しようとする課題】
【０００５】
本発明は、特に、これらの既知の技術の様々な課題を克服することを目的とする。
【０００６】
特に、本発明は、良好な色やエージングに対する良好な耐性（ＵＶ、汗、審美性）を維持しつつ、皮膚と長期間にわたって（直接又は間接的に）接触するように意図されたエラストマー材料の部品を作るように適合する材料を提供し、快適性を改善させる特性を備えたエラストマーを得ることを目的とする。
【課題を解決するための手段】
【０００７】
これらの目的や以下によってより明確になる他の目的は、本発明によって、皮膚に接触するように意図され湿気を逃がす手段を有するリストバンド又は計時器用の部品用のエラストマー材料によって達成される。
【０００８】
本発明によると、逃がす手段は、当該材料を通して毛管作用によって湿気を輸送し湿気を中性化するために、エラストマー材料内にチャネルを形成する親水性マイクロファイバーを有する。
【０００９】
本発明の他の好ましい変種にしたがうと、以下の特徴を有する。
−  当該材料は、酸化亜鉛と窒化ホウ素から選択される熱伝導性フィラーを含有する。
−  当該材料は、有機亜鉛化合物、銀塩、又はアルミニウム塩のタイプの抗菌性添加剤を含有する。
−  当該材料は、ポリウレタン、ポリエーテルブロックアミド、コポリエステルエラストマー、アクリルエラストマー又はスチレンエラストマーからなる群から選ばれる材料である。
−  当該材料は、フッ素エラストマー、アクリロニトリルブタジエンコポリマー、シリコーン又はエチレンプロピレンジエンモノマーのような熱加硫可能なエラストマーから選ばれる材料である。
−  当該材料は、シリコーンのような冷加硫可能なエラストマーから選ばれる材料である。
−  前記親水性マイクロファイバーは、１５０ｍＴｅｘ未満の繊度を有する。
−  前記親水性のマイクロファイバーは、ポリアミド又はポリエステルのファミリーから選ばれる合成材料によって作られている。
−  前記親水性マイクロファイバーは、綿又はリネンのようなセルロース系材料、又はそのビスコースのような合成誘導体で作られている。
−  前記親水性マイクロファイバーは、ｎ個のチャネルがある断面を有し、ここで、ｎ＞２である。
−  前記親水性マイクロファイバーの断面は、溝があるオブロング状の形、又はらせん状の形を有する。
【００１０】
また、本発明は、特に、本発明に係るエラストマー材料によって作られた計時器に関する。
【００１１】
本発明は、さらに、少なくとも親水性マイクロファイバー、熱伝導性フィラー及び抗菌性添加剤を含有するエラストマー材料によって作られた少なくとも１つの部分を有するリストバンドを製造する方法に関する。
【００１２】
当該製造方法は、
前記エラストマー材料から混合物を形成する第１のステップと、
前記第１のステップで得られた混合物に、少なくとも、親水性マイクロファイバー、熱伝導性フィラー及び抗菌性添加剤を加える第２のステップと、及び
成型プロセスによって前記第２のステップにて得られた混合物からリストバンドを形成するステップと
を有する。
【００１３】
この方法によると、当該エラストマー材料は、熱可塑性エラストマー及び熱加硫又は冷加硫可能なエラストマーからなる群から選ばれる材料である。
【００１４】
本発明は、さらに、本発明に係る製造方法によって得られたリストバンドを組み立てる方法に関し、
皮膚に接触するように意図されたリストバンドの第１の層を形成するステップと、及び
前記第１の層の上に審美的な層を組み立てるステップと
を有する。前記審美的な層は、皮革、織物、ポリマー又は他の装飾性要素であることができる。
【００１５】
添付図面を参照しながら単なる例（これに限定されない）として与えられる本発明の特定の実施形態についての以下の説明を読むことで、本発明の他の特徴及び利点についてもより明確に理解することができるであろう。
【図面の簡単な説明】
【００１６】
【図１】本発明に係るエラストマー材料内にある親水性ファイバーの断面図である。
【図２】本発明に係るエラストマー材料内にある親水性ファイバーの断面図である。
【発明を実施するための形態】
【００１７】
本発明は、皮膚に接触するように意図され湿気を逃がす手段を有するリストバンド又は計時器用部品のためのエラストマー材料に関する。当該逃がす手段は、当該エラストマー材料を通して湿気を逃がし中性化することができる親水性マイクロファイバーを有する。
【００１８】
本発明の好ましい実施形態によると、当該エラストマー材料は、酸化亜鉛や六方晶系窒化ホウ素のように２０Ｗ・ｍ-1・Ｋ-1よりも大きい熱伝導度を有する熱伝導性フィラーを含有する。これらの熱伝導性フィラーの含有量は、４０重量％以内であることができ、それらによって、当該エラストマー材料の導電率を増加させずに、当該エラストマー材料の熱伝導度を１２Ｗ・ｍ-1・Ｋ-1まで増加させることができる。このような熱伝導性フィラーには、体熱を良好に逃がすことができ、したがって、汗を抑えることができるという利点がある。
【００１９】
本発明の好ましい態様によると、当該エラストマー材料は、有機亜鉛化合物、銀塩、アルミニウム塩のような抗菌性添加剤を含有することができ、これによって、例えば、リストバンドが皮膚に接しているときのユーザーの汗に実質的に起因する、表面及び当該エラストマー材料の内部で発展する不快な臭いを抑えたり防ぐ。
【００２０】
必要に応じて、抗菌物質は、２〜６重量％の含有量でエラストマーと伝導性フィラーの混合物と組み合わさることができる。
【００２１】
リストバンド又は計時器用部品のためのエラストマー材料は、ポリウレタン、ポリエーテルブロックアミド、コポリエステルエラストマー、アクリルエラストマー、スチレンエラストマーのような一又は複数の種類の熱可塑性エラストマーから選ぶことができる。
【００２２】
本発明の別の実施形態によると、当該材料は、フッ化エラストマー、アクリロニトリルブタジエンコポリマー、シリコーン、エチレンプロピレンジエンモノマーのような熱加硫可能なエラストマーからなる群から選ばれる材料である。
【００２３】
本発明のさらなる別の実施形態によると、当該材料は、シリコーンのような冷加硫可能なエラストマーから選ばれる材料である。
【００２４】
当該エラストマー材料の硬さは、触覚的及び機能的な要件に応じて、２０ショアー００〜９０ショアーＤの範囲にわたって選ぶことができる。
【００２５】
例えば、硬さが９０ショアーＤである硬いケース用の要素を成型することができ、硬い要素上の被覆としてはショアー００及びショアーＡの材料を用いることが好ましい。リストバンドのようなフレキシブルな部品は、ショアーＡの硬さのものによって作ることができる。
【００２６】
例えば、腕時計用ケースの場合には、当該エラストマーをケースの表面上にスプレーして、当該エラストマーが、被覆としてはたらいたりオーバーモールドされたりして、柔らかい感触を与えることができる。
【００２７】
本発明によると、エラストマー、伝導性フィラー及び抗菌物質の混合物が用意されて、この混合物との親和性を改善させるために前処理された親水性マイクロファイバーと混合される。必要に応じて、当該親水性マイクロファイバーの含有量は、パーコレーションしきい値に達するように、８〜２５重量％である。
【００２８】
思い出すために書くと、構造体の孔内で動く物質がその構造体自体を通り抜けることができる場合に、パーコレーションが発生する。本場合において、当該構造体は、当該エラストマー材料によって代表され、当該孔は親水性マイクロファイバーによって代表され、当該材料を通り抜ける物質は汗である。
【００２９】
混合物におけるパーコレーションしきい値において、マイクロファイバーは互いに接触し、１０００倍まで当該エラストマー材料によって形成されるマトリックスの拡散力を改善するチャネルを形成し、そして、湿気は、毛管作用によって当該材料を通り抜けるように輸送され、したがって、逃がされる。
【００３０】
本発明によると、当該親水性マイクロファイバーは、１５０ｍＴｅｘ未満の繊度を有する。これは、Ｈ2Ｏタイプの分子の輸送には十分な大きさである。
【００３１】
好ましいことに、当該親水性マイクロファイバーは、ポリアミド又はポリエステルのファミリーから選ばれる合成材料によって作ることができる。なぜなら、それらの合成材料は、その親水性官能基のおかげで湿気を迅速に輸送し、また、非常に迅速に乾燥するからである。
【００３２】
本発明の別の実施形態によると、当該親水性ファイバーは、綿やリネンのようなセルロース系材料、又はビスコースのような合成誘導体によって作ることができる。これらも湿気を逃がすことに適している。
【００３３】
本発明によると、当該マイクロファイバーは、それらにより大きな比表面積を与えるように、らせん状の断面を有することが好ましく、したがって、拡散力のはたらきが速くなる。
【００３４】
具体的には、図１及び２に示しているように、親水性ファイバーの断面は、ｎ個のブレードがあるようならせん状であり、ここで、ｎは厳密に２よりも大きい。これによって、比表面積が大きくなり、したがって、湿気を逃がすことが促進される。
【００３５】
本発明は、さらに、本発明に係るエラストマー材料によって作られた少なくとも１つのリストバンドの部分に関する。
【００３６】
上に記載された混合物は、エラストマーモノ材料によって作られたリストバンドの部分を形成するように直接成型されたり、快適な二材料系のリストバンドの部分を形成するようにオーバーモールドされるされることができ、その各リストバンドの部分は、皮膚に接触する快適な材料の第１の下側部分と、及びその機能に有利な材料で作られた上側部分とを有する。また、各リストバンドの部分が、純粋に審美的な目的のために、異なる色を有するようにすることも考え得る。
【００３７】
本発明は、さらに、少なくとも、親水性マイクロファイバー、熱伝導性フィラー及び抗菌性添加剤を含有するエラストマー材料によって作られた少なくとも１つの部分を有するリストバンドを製造する方法に関する。
【００３８】
本発明によると、当該製造方法は、下記ステップを有する。
−  エラストマー材料から混合物を形成する第１のステップ
−  第１のステップで得られた混合物に、少なくとも、親水性マイクロファイバー、熱伝導性フィラー及び抗菌性添加剤を加える第２のステップ
−  成型プロセスによって第２のステップで得られた混合物からリストバンドを形成するステップ
【００３９】
当業者及び作られる部品の要件に応じて、当該エラストマー材料は、熱可塑性エラストマー、熱加硫可能又は冷加硫可能なエラストマー、又はこのような材料の混合物から選ぶことができる。
【００４０】
本発明は、さらに、本発明の製造方法によって得られたリストバンドを組み立てる方法に関し、これは、下記のステップを有する。
−  本発明に係るエラストマー材料によって作られ皮膚に接触して汗を逃がすように意図されたリストバンドの第１の層を作るステップ
−  皮革、織物、ポリマー又は他の装飾性要素であることができる審美的な層を第１の層の上に組み立てるステップ
【００４１】
このような快適性を改善させる有利な材料によって、計時器又は装飾品の製造が可能になる。例えば、腕輪、ストラップ又はリストバンド、バックル、ネックレス、ケース、ケース裏部、押しボタン、ループ又はベゼルである。また、眼鏡フレームの製造、特に、アーム、ブリッジ、パッドの製造のために、当該材料が非常に有利であり得ることには注目すべきである。
【００４２】
もちろん、本発明は、図示した例に限定されず、当業者が思い描くことができる様々な変種や改変が可能である。
【図１】
0006756829.tif 000002
【図２】
0006756829.tif 000003